(57)【要約】【課題】加熱源の立ち上り性に優れ、補修時間を大幅に短縮することが可能な乗客コンベア用移動手摺の補修装置及び補修方法を提供する。【解決手段】熱可塑性エラストマーからなる乗客コンベア用移動手摺の表面を溶融させるおもに近赤外から中赤外領域の中心波長を有する赤外線源と、この赤外線源から放射された赤外線を上記移動手摺の表面に集光させる反射部材とを備え、上記赤外線源に供給する電力、上記移動手摺と赤外線源との相対速度、または上記移動手摺と赤外線源との距離を制御して移動手摺の表面のみを溶融して傷を補修するようにしたものである。【選択図】図１
2011068470.tif 000002
【特許請求の範囲】
【請求項１】
熱可塑性エラストマーからなる乗客コンベア用移動手摺の表面を溶融させる赤外線源と、この赤外線源から放射された赤外線を上記移動手摺の表面に集光させる反射部材と、を備えたことを特徴とする乗客コンベア用移動手摺の補修装置。
【請求項２】
上記赤外線源は、放射される赤外線スペクトルの中心波長が約０．８μｍ〜約３．５μｍの近赤外線領域から中赤外線領域の成分を含むハロゲンヒータまたはカーボンヒータからなることを特徴とする請求項１記載の乗客コンベア用移動手摺の補修装置。
【請求項３】
上記反射部材の温度上昇を抑制する冷却手段を備えていることを特徴とする請求項１または請求項２記載の乗客コンベア用移動手摺の補修装置。
【請求項４】
上記赤外線源の上記移動手摺に対する距離を調整可能にしたことを特徴とする請求項１から請求項３の何れかに記載の乗客コンベア用移動手摺の補修装置。
【請求項５】
上記移動手摺の上記赤外線源との相対移動速度を検知する手段を備えたことを特徴とする請求項１から請求項４の何れかに記載の乗客コンベア用移動手摺の補修装置。
【請求項６】
上記赤外線源の上記移動手摺に対する相対移動速度を調整可能に構成したことを特徴とする請求項１から請求項５の何れかに記載の乗客コンベア用移動手摺の補修装置。
【請求項７】
上記赤外線源によって加熱された上記移動手摺を冷却する冷却部を備えたことを特徴とする請求項１から請求項６の何れかに記載の乗客コンベア用移動手摺の補修装置。
【請求項８】
上記赤外線源から放射された赤外線の光路内に、該赤外線の波長域を所定の範囲に変える波長変換器を備えていることを特徴とする請求項１から請求項７の何れかに記載の乗客コンベア用移動手摺の補修装置。
【請求項９】
上記波長変換器が、上記赤外線源と上記移動手摺との間、または上記赤外線源と上記反射部材との間に設けられていることを特徴とする請求項８記載の乗客コンベア用移動手摺の補修装置。
【請求項１０】
上記移動手摺の表面の温度を検知する非接触式温度センサと、この非接触式温度センサに対する上記赤外線源から放射された赤外線の干渉を防ぐ遮蔽部材を備えていることを特徴とする請求項１から請求項９の何れかに記載の乗客コンベア用移動手摺の補修装置。
【請求項１１】
上記移動手摺の表面の色差または明暗を検知する表面センサを備え、その表面センサの出力に応じて制御手段により上記赤外線源の出力を制御するようにしたことを特徴とする請求項１から請求項１０の何れかに記載の乗客コンベア用移動手摺の補修装置。
【請求項１２】
赤外線源から放射された赤外線を反射部材により熱可塑性エラストマーからなる乗客コンベア用移動手摺の表面に集光させ、上記移動手摺の表面を溶融して傷を補修することを特徴とする乗客コンベア用移動手摺の補修方法。
【請求項１３】
赤外線源として、放射される赤外線スペクトルの中心波長が約０．８μｍ〜約３．５μｍの近赤外線領域から中赤外線領域の成分を含むハロゲンヒータまたはカーボンヒータを用い、上記移動手摺の表面層を集中的に加熱することを特徴とする請求項１２記載の乗客コンベア用移動手摺の補修方法。
【請求項１４】
上記移動手摺表面の温度を検知する非接触温度センサを備え、上記赤外線源の出力、上記移動手摺との距離、または上記移動手摺と上記赤外線源との相対的な速度を制御することで上記移動手摺表面の温度を制御することを特徴とする請求項１２または請求項１３に記載の乗客コンベア用移動手摺の補修方法。
【発明の詳細な説明】
【技術分野】
【０００１】
この発明はエスカレータや動く歩道などの乗客コンベアの欄干の上端部に設けられ、踏段と同期して回転駆動される乗客コンベア用移動手摺を補修するための装置及び方法に関するものである。
【背景技術】
【０００２】
従来のエスカレータなどの乗客コンベア用移動手摺を補修するための装置として、熱可塑性エラストマーからなる移動手摺の化粧層表面に対向した位置に、移動手摺と相対移動可能に設置された磨き装置とドライヤーまたは遠赤外線ヒータなどの加熱装置を備え、移動手摺の表面層に傷が付いて、さらに人の手垢や衣装ゴミ・土埃等が堆積しても、修復作業性が極めてよく、しかも傷付き部分の仕上がりを美麗に修復できるようにしたものがある（例えば、特許文献１参照）。
【先行技術文献】
【特許文献】
【０００３】
【特許文献１】特開２００８−１７４３７５号公報（第１頁、図１）
【発明の概要】
【発明が解決しようとする課題】
【０００４】
上記のような、ドライヤー等の熱風を熱可塑性エラストマーの表面層に吹きつける加熱手法では、熱風の全てが熱可塑性エラストマーの昇温に使用されないため、加熱の効率が悪く熱風により加熱される熱可塑性エラストマーの表面層が補修可能な温度に達するまでに時間がかかる。また加熱ムラもある。さらに、加熱源の立ち上りが遅く熱風が所望の温度に達するまで時間がかかる。また、ドライヤーの代わりに遠赤外線ヒータを用いる場合でも、加熱源の立ち上りが遅く応答も遅いため、熱可塑性エラストマーの表面層の温度を精密に制御することが困難である。立ち上がりの速度が遅いと、手摺移動速度を通常運転時よりも遅く出来ない乗客用コンベアの場合は、補修装置自体を移動させることが必須となる。その場合は補修装置に電力を供給するためのケーブルあるいは放射温度計などのセンサ類の信号線等として長尺のものを用意する必要があり、補修装置の搬送および移動手摺への設置の際に作業性が悪い。
【０００５】
この発明は上記のような従来技術の課題を解決するためになされたもので、加熱効率及び立ち上り性に優れ、補修時間を大幅に短縮することが可能な乗客コンベア用移動手摺の補修装置及び補修方法を提供することを目的とするものである。
【課題を解決するための手段】
【０００６】
この発明に係る乗客コンベア用移動手摺の補修装置は、熱可塑性エラストマーからなる乗客コンベア用移動手摺の表面を溶融させる赤外線源と、この赤外線源から放射された赤外線を上記移動手摺の表面に集光させる反射部材と、を備えるようにしたものである。
また、この発明に係る乗客コンベア用移動手摺の補修方法は、赤外線源から放射された赤外線を反射部材により熱可塑性エラストマーからなる乗客コンベア用移動手摺の表面に集光し、上記移動手摺の表面を溶融して該表面の傷を補修するようにしたものである。
【発明の効果】
【０００７】
この発明の補修装置においては、加熱源としての赤外線源から放射された赤外線を反射部材によって移動手摺の表面に集光させるようにしたので、加熱効率及び立ち上り性に優れ、移動手摺の表面層に付いた傷を従来よりも短時間で修復できるという効果がある。
また、この発明の補修方法においては、赤外線を反射部材によって熱可塑性エラストマーからなる乗客コンベア用移動手摺の表面に集光し、その表面を溶融して傷を補修するようにしたので、加熱効率が改善され、また短時間で修復できるという効果がある。
【図面の簡単な説明】
【０００８】
【図１】この発明の実施の形態１に係る乗客コンベア用移動手摺の補修装置を移動手摺にセットして側面方向から見たときの概略構成図。
【図２】図１の補修装置を平面方向に見たときの概略構成図。
【図３】図１に示された加熱部の構成を概念的に示す断面図。
【図４】図１に示された移動手摺に対する移動用ローラーの位置関係を拡大して示す断面図。
【図５】一般的な赤外線ヒータの昇温特性を示す図。
【図６】一般的な赤外線ヒータの種類と波長領域を説明する図。
【図７】この発明の実施の形態２に係る乗客コンベア用移動手摺の補修装置の加熱部の構成を概念的に示す断面図。
【図８】この発明の実施の形態３に係る乗客コンベア用移動手摺の補修装置を移動手摺にセットして側面方向から見たときの概略構成図。
【図９】図８に示された加熱部の構成を概念的に示す断面図。
【発明を実施するための形態】
【０００９】
実施の形態１．
以下、この発明の実施の形態１に係る乗客コンベア用移動手摺の補修装置及び補修方法について図１〜図６を参照して説明する。実施の形態１に係る乗客コンベア用移動手摺の補修装置は図１、図２の概略構成図に示すように、移動手摺１の表面の汚れを予め除去するための前処理部１０と、前処理後の移動手摺１の表面を所定温度に加熱して表面の傷等を修復する加熱部２０と、修復後の移動手摺１を冷却する冷却部３０と、上記前処理部１０、加熱部２０、及び冷却部３０をマウントする共通の架台４０と、架台４０を移動手摺１に対して相対的に矢印Ａの方向に移動させる移動機構部５０と、表面センサ１７、走行センサ１８、非接触式温度センサ６１、制御手段７１、制御器７２などを用いて構成されている。
【００１０】
移動手摺１は図４の拡大断面図に例示する如く、全体としてＣ字型の横断面を有し、中心層として配設された芯体層１Ａと、この芯体層１Ａの外側部の周りに延び、移動手摺１の外側輪郭を定める表面層１Ｂと、芯体層１Ａの内側面に結合されたスライダー層１Ｃと、芯体層１Ａの中心部内に配設され、長手方向（図４の紙面の前後方向）に延びる伸び防止手段（抗張体）１Ｄから構成されている。芯体層１Ａ、及び表面層１Ｂには熱可塑性エラストマーが使用されている。
【００１１】
乗客コンベアの欄干（図示省略）上部に設けられた手摺ガイドレール２は、その頂部両側に突出された凸状部に合成樹脂製のガイドクリップ２Ａがそれぞれ装着され、移動手摺１のスライダー層１Ｃの内周面に摺接するようになっている。なお、手摺ガイドレール２は乗客コンベアのデッキプレート（図示省略）に取り付けられている。移動手摺１の最内側のスライダー層１Ｃには帆布が用いられているが、このスライダー層１Ｃの役目はガイドクリップ２Ａと摺動するときの摩擦係数を適切な値にするためと、移動手摺１の形状を所定の強度を持ってＣ字型に維持するためである。
【００１２】
移動機構部５０は架台４０の移動方向先端部に設けられており、移動手摺１の幅方向両側部に回転軸がそれぞれ下向きとなるように回転自在に突出された一対の移動用ローラー５１Ａ、５１Ｂと、移動用ローラー５１Ａ、５１Ｂの少なくとも一方を回転駆動する電動機５２と、電動機５２の回転力を移動用ローラー５１Ａに伝えるベルトなどの動力伝達手段５３から構成されている。
【００１３】
なお、移動用ローラー５１Ａ、５１Ｂは、図４の拡大断面図に示すように、図の下側部が窄まった円柱状に形成され、上半部の円弧状の外周面Ｂが断面Ｃ型状の移動手摺１の幅方向両端部上面に補修装置４０の自重で係合しており、移動用ローラー５１Ａ、５１Ｂの回転に伴って補修装置４０が移動手摺１に対して相対的に移動できるように構成されている。また、架台４０の中央付近、及び移動方向後端部近傍にそれぞれ同様の各一対の従動ローラー５４Ａ・５４Ｂ、５５Ａ・５５Ｂが配設されており、移動手摺１に対して補修装置４０がスムーズに相対移動できるように構成されている。
【００１４】
上記前処理部１０は、軸流ファン１１、軸流ファン１１を回転させるファン用電動機１２、軸流ファン１１によって付勢された空気を加熱するヒータ１３、及びこれら軸流ファン１１、ファン用電動機１２、及びヒータ１３を包囲し、付勢された空気の出口部に吹出口１４ａを有するケーシング１４から構成される吹付器１５からなり、吹付器１５の架台４０に対する角度は支点１６で調整可能である。該前処理部１０は、加熱部２０で移動手摺１を加熱する際に移動手摺１の表面に異物が存在すると、その異物が移動手摺１に固着して後工程での除去が困難になるため、移動手摺１の加熱直前に該異物の除去を行うために設けられたものである。なお、必要に応じて上記ヒータ１３により移動手摺１の予備加熱を行うこともできる。
【００１５】
上記加熱部２０は、図３に示すように移動手摺１と対向するように設置された直管状の複数の赤外線ヒータからなる赤外線源２１と、赤外線源２１から図３の上方向に放射された赤外線を移動手摺１の表面方向に反射させ、該移動手摺１の表面に照射される赤外線が全体として面方向に均一となるように集光させる反射部材２２と、反射部材２２の上方向に突設されたフィン２２ａに冷却風を吹き付ける軸流ファンとファン用電動機からなる反射部材冷却手段２３から構成されている。反射部材２２の反射面は図３の断面図に示すように複数の曲率が組み合わされた所定の凹面状に形成されている。
【００１６】
なお、加熱部２０は支柱２４の長さを調節することにより移動手摺１と赤外線源２１との距離を調整できるようになっている（詳細図示省略）。また、移動手摺１は赤外線源２１から直接照射される赤外線と、反射部材２２により反射されて照射される赤外線によって加熱されるが、相対的に移動する移動手摺１の表面層１Ｂの表面が溶融する温度、例えば２００〜２２０℃程度に順次連続的に加熱するのに十分な出力を有するものとする必要がある。
【００１７】
冷却部３０は、移動手摺１の表面に冷却風を吹き付ける電動ファンからなっている。上記の他、加熱部２０と冷却部３０の間には、移動手摺１の表面の温度を検知する非接触式温度センサ６１と、この非接触式温度センサ６１に赤外線源２１から照射された赤外線が干渉するのを防ぐ遮蔽部材６２が設けられている。該非接触式温度センサ６１によって検出された温度情報を含む出力信号６１ａは制御手段７１に入力される。制御手段７１は、図示しないマイクロコンピュータを内蔵し、図示省略している入力手段によって設定された温度指令値６１ｂに基づいて加熱部２０の赤外線源２１への電力を制御する一方、移動機構部５０を制御して、移動手摺１と赤外線源２１との相対速度を制御するように構成されている。なお、図３のように赤外線源２１が複数設けられている場合は個別に制御することも可能である。
【００１８】
なお、移動手摺１の表面層１Ｂを構成する熱可塑性エラストマーは、加熱により表面が溶融する程度に非常に軟化した状態となるため、移動手摺１の表面温度の測定に接触式の温度計を用いることが出来ず非接触式の温度計を用いる必要がある。また、非接触式の温度計は測定物から放射される赤外線を利用するため、赤外線源２１が放射する赤外線が照射される箇所は、赤外線同士が干渉し正しく測定を行うことが出来ない。そこで、遮蔽部材（図１の例では遮蔽板）６２を用いて赤外線源２１からの赤外線を遮蔽し、移動手摺１の表面温度を非接触式温度センサ６１にて測定するようにしている。
【００１９】
さらに、前処理部１０には、移動手摺１を無端状に繋いだ箇所など表面状態の異なる部位を検知するための表面センサ１７、及び移動手摺１との相対移動速度を検知する手段を構成する補修装置自体の走行を検知する走行センサ１８が取り付けられている。走行センサ１８からの出力信号は制御器７２に入力され、制御器７２は、図示省略している入力手段によって設定された相対移動速度指令値１８ｂと比較して、異常時に赤外線源２１への電力供給を止める動作指示を与えるように構成されている。
【００２０】
この発明の典型的な特徴部分は、加熱源として赤外線源２１を用いると共に、赤外線源２１から放射された赤外線が移動手摺１の表面上で面方向に均一となるように集光させる反射部材２２を用いるようにしたことにある。赤外線源としては図６に示すように、近赤外線領域のエネルギーを多く含む例えばハロゲンヒータ、中赤外線領域のエネルギーを多く含む例えばカーボンヒータ、及び遠赤外線領域のエネルギーを多く含む例えばセラミックスヒータなどがある。
【００２１】
これらの赤外線源の内、熱可塑性エラストマーからなる移動手摺１に対しては、通電時の温度の立ち上り特性に優れ、しかも移動手摺１を構成する熱可塑性エラストマーに対する透過率が低く、補修に必要な表面のみを短時間で昇温する場合に優れるという点から、放射される赤外線の中心波長が約０．８〜約３．５μｍ程度のものが好ましい。代表的なものとしては、図６に示すように近赤外線領域（０．８〜２μｍ程度）のエネルギーを多く含むハロゲンヒータ（中心波長１．２μｍ程度）及び中赤外線領域（２〜４μｍ程度）のエネルギーを多く含むカーボンヒータ（中心波長２μｍ程度）などは好ましく用いることができ、特にハロゲンヒータなどの赤外線ヒータは好ましく用いることができる。該赤外線ヒータは図５に例示するように、通電時の立ち上りが極めて早く、電力供給より１秒以内に昇温が完了する昇温特性を示すものもある。
【００２２】
次に、上記のように構成された実施の形態１の動作について説明する。まず、補修装置４０をエスカレータなどの乗客コンベアの欄干上の移動手摺１上に図１のようにセットする。次に、図示省略している電源をＯＮして、移動機構部５０、前処理部１０、加熱部２０、及び冷却部３０を動作させる。乗客コンベアも運転する。補修装置４０は移動機構部５０によって、移動手摺１に対して矢印Ａ方向に相対的に移動するが、乗客コンベアの運転速度及び移動機構部５０の速度を適当に選ぶことにより、補修装置４０の位置を見かけ上静止状態にすることができる。
【００２３】
一方、前処理部１０によって移動手摺１の表面の異物が除去されると同時にヒータ１３によって移動手摺１が予熱される。加熱部２０には前処理部１０で異物が除去され予熱された移動手摺１が連続的に移動して供給される。移動手摺１の表面層１Ｂは、ハロゲンヒータなどからなる赤外線源２１から直接照射される赤外線と、反射部材によって反射され移動手摺１の表面上で面方向に均一となるように集光される赤外線によって加熱され、移動手摺１の表面層１Ｂを構成する熱可塑性のエラストマーの表面部のみが溶融する。このとき移動手摺１の表面に傷があった場合、表面部の溶融により傷が平坦となり補修される。また、近赤外線〜中赤外線領域の赤外線ヒータを用いていることで、移動手摺１の内部は加熱量は小さく、従って温度上昇も低い。
【００２４】
なお、移動手摺１の表面温度は非接触式温度センサ６１によって検出され、制御手段７１によって、予め設定された温度指令値６１ｂに基づいて赤外線源２１に供給する電力が制御される。移動手摺１の表面温度が２２０℃以上になると気泡が発生するので、温度管理は重要である。また、何らかの異常で移動手摺１と補修装置４０との相対移動速度が減速した場合、移動手摺１の表面一箇所が加熱され続けるため、移動手摺１の表面温度が２２０℃以上になり気泡が発生する危険がある。そこで走行センサ１８により検知された相対移動速度は制御器７２にフィードバックされ、制御器７２は相対移動速度指令値１８ｂと相対移動速度実測値１８ａを照合して、上記相対移動速度が所定値を下回ったときに制御手段７１に信号を出力して赤外線源２１への電力を例えばカットするなど制御する。
【００２５】
移動手摺１の表面部には、例えば無端状に繋いだ箇所など、通常と熱履歴あるいは配向性が異なるため加熱により熱可塑性エラストマーが変色し、移動手摺１の表面に色ムラが発生する部位がある。そのような部位を補修装置４０が通過する場合は、加熱部２０より前段に設けられた表面センサ１７により、移動手摺１の色差あるいは明暗を検知することで上記部位を判別し、赤外線源２１の電力を制御して適切な温度に加熱されるようにすることが可能である。なお実施する際には、例えば該当部位の手前に移動手摺１とは異なる色のマークを付けておき、その色差を表面センサ１７で検知させるようにしても良い。上記のようにして表面の傷が修復された移動手摺１は、冷却部３０によって冷却され、修復工程が完了する。
【００２６】
なお、図示しないが、赤外線源２１への電力を制御する代わりに、上記移動機構部５０の速度を制御して移動手摺１との相対速度を変え、あるいは支柱２４の長さを制御して移動手摺１との距離を変え、あるいは赤外線源２１の放射する赤外線の波長を変えて加熱温度を制御しても良い。また、移動手摺１がエスカレータに用いられたものである場合、上下階のステップ近傍で移動手摺１が曲がった個所を通過できるように、例えば架台４０が前処理部１０、加熱部２０、及び冷却部３０の境界で移動手摺１の曲率に応じて曲がるように、ヒンジなどを介して連結した構造にしてもよい。
【００２７】
また、制御器７２の機能を制御手段７１に統合するようにしてもよい。また、赤外線源２１は近赤外線を放射するハロゲンヒータと、中赤外線を放射するカーボンヒータを混在させて用いてもよい。また、反射部材冷却手段２３によって得られる加熱された空気を図示していないダクトを経由して前処理部１０に送り、熱の有効利用を図るように構成することもできる。さらに、前処理部１０において、湿らせた布や回転ブラシ等を用いて汚れ等を除去するようにしてもよい。その他、赤外線源２１の形状や設置数を変更する等、種々の変形や変更が可能であることは言うまでもない。
【００２８】
上記のように、実施の形態１の補修装置によれば、加熱源としてハロゲンヒータなどの近赤外線を放射する赤外線源２１を複数使用すると共に、赤外線源２１から図３の上方向に放射された赤外線を集光し、移動手摺１の表面に照射される赤外線が面方向に均一となるように形成された反射部材２２を用いるようにしたので、立ち上り性に優れ、移動手摺の表面層に付いた傷を従来よりも短時間で修復できるという効果が得られる。また、補修に不必要な部位まで加熱されることがないので、エネルギーの無駄が削減され、しかも移動手摺１周辺の部材が長寿命化するという効果がある。
【００２９】
また、移動速度が変更出来ない乗客コンベアに対しても、移動手摺１の上部に載せるように装着して移動手摺１に対して補修装置４０を相対移動させるように使用できるため、補修装置４０の乗客コンベアに対する移動量を抑えることができるので、電力供給用のコード類などの必要な長さを短くすることができ、補修装置の搬送及び設置の際に作業し易いという効果もある。また、赤外線は光であるため、外因による照射ムラがなく対象に対して均一に照射して加熱することができるという特徴を有する。
【００３０】
また、実施の形態１の補修方法によれば、ハロゲンヒータなどの近赤外線を放射する赤外線源２１から放射された赤外線を反射部材２２によって熱可塑性エラストマーからなる移動手摺１の表面に集光し、その表面のみを選択的に加熱・溶融して傷を補修するようにしたので、赤外線源２１の熱的な立ち上がりが早く、加熱効率が改善され、また短時間で修復できるという効果が得られる。
【００３１】
実施の形態２．
次に、この発明の実施の形態２に係る乗客コンベア用移動手摺の補修装置について図７を参照して説明する。赤外線の透過率は物質により異なるため、移動手摺１に用いられる熱可塑性エラストマーの材質によって最も効率良く加熱できる赤外線の波長が存在する。そこで、この実施の形態２では図７に示すように赤外線源２１から移動手摺１に至る赤外線の光路内に、波長変換器２５を設置することで発生した赤外線の波長を変えるようにしたものである。該波長変換器２５は、特定の波長域の赤外線を透過し、他の波長域の赤外線を吸収または反射するものであり、光学多層膜で形成されたり、特定の波長域の赤外線を吸収する染料などを含有したりするものがある。上記波長変換器２５としては、例えばセラミックスコーティングフィルターなどの赤外域フィルターを好ましく用いることができる。その他の構成は実施の形態１と同様である。
【００３２】
上記のように構成された実施の形態２においては、赤外線源２１から放射された赤外線は、移動手摺１に直接照射される赤外線、及び反射部材２２によって反射された後、移動手摺１に照射される赤外線の何れ共、波長変換器２５を通過する。該波長変換器２５を通過するときに熱可塑性エラストマーの材質に適した波長域の赤外線のみが選択的に移動手摺１に照射されることとなるので、移動手摺１の表面が効率的に加熱される。
【００３３】
なお、上記図７では波長変換器２５を赤外線源２１と移動手摺１との間に設置した場合を例示したが、これに限定されるものではなく、例えば反射部材２２と赤外線源２１の間に設けてもよい。この場合、赤外線源２１から図の上方に放射された赤外線が波長変換器２５を経て、反射部材２２で反射し、再び波長変換器２５を経た後に移動手摺１に照射される。波長変換器２５を複数回通過するので、変換効率が良い。また、集光の効果を有する反射部材２２であれば、熱可塑性エラストマーの材質に適した波長の赤外線を高密度に照射することが可能となり望ましい。また、波長変換器２５は反射部材冷却手段２３で冷却される反射部材２２の反射面に接するように配置してもよい。この場合、波長変換器２５は反射部材２２と共に冷却され、熱による性能低下が防止できるので好ましい。
【００３４】
実施の形態３．
次に、この発明の実施の形態３に係る乗客コンベア用移動手摺の補修装置について図８、図９を参照して説明する。図において、補修装置は、手摺ガイドレール２の両側面部を挟むようにして架台４０を固定するためのアジャスタ（詳細図示省略）機能付きの固定装置８を備え、該固定装置８によって欄干（図示省略）の手摺ガイドレール２に固定されている。なお、その他の構成については、図１に示された補修装置における移動機構部５０が省かれている他は実施の形態１と同様であるので説明を省略する。
【００３５】
上記のように構成された実施の形態３においては、乗客コンベアを通常時と同様に運転させ、移動手摺１を矢印Ｄ方向に移動させた状態で手摺ガイドレール２に固定された補修装置を稼働させる。立ち上がり特性に優れた近赤外線ないし中赤外線を放射する複数の赤外線ヒータからなる赤外線源２１と、移動手摺１の表面に照射される赤外線が面方向に均一となるように集光する反射部材２２を用いていることで、移動手摺１の表面層に対する加熱速度が従来の熱風や遠赤外線を用いたものに比べ大幅に向上されている。このため、前処理部１０、加熱部２０、及び冷却部３０を実施の形態１と同様に動作させることにより、移動手摺１の表面に形成された傷などが短時間で綺麗に補修される。
【００３６】
上記実施の形態３においては、実施の形態１と同様の効果が得られるほか、移動機構部５０（図１）が省かれているので、その分、補修装置の構成が簡単であり、補修装置を安価にできるという更なる効果を得ることができる。乗客コンベアの運転速度が可変に作られたものでは、例えばその運転速度を低くして、赤外線源２１へのエネルギー供給を抑えることで、より安定した補修を行うようにすることもできる。
【符号の説明】
【００３７】
１  移動手摺、  １Ｂ  表面層、  ２  手摺ガイドレール、  １０  前処理部、  １１  軸流ファン、  １２  ファン用電動機、  １３  ヒータ、  １４ａ  吹出口、  １５  吹付器、  １７  表面センサ、  １８  走行センサ、  １８ｂ  相対移動速度指令値、  ２０  加熱部、  ２１  赤外線源、  ２２  反射部材、  ２３  反射部材冷却手段、  ２４  支柱、  ２５  波長変換器、  ３０  冷却部、  ４０  架台、  ５０  移動機構部、  ５１Ａ、５１Ｂ  移動用ローラー、  ５２  電動機、  ６１  非接触式温度センサ、  ６１ａ  出力信号、  ６１ｂ  温度指令値、  ６２  遮蔽部材、  ７１  制御手段、  ７２  制御器、  ８  固定装置。
【図１】
2011068470.tif 000003
【図２】
2011068470.tif 000004
【図３】
2011068470.tif 000005
【図４】
2011068470.tif 000006
【図５】
2011068470.tif 000007
【図６】
2011068470.tif 000008
【図７】
2011068470.tif 000009
【図８】
2011068470.tif 000010
【図９】
2011068470.tif 000011